(57)【要約】      （修正有）【課題】後処理装置に対して設定を行なう際の作業工数を削減する印刷システムを提供する。【解決手段】印刷システム１は、印刷装置５０による印刷処理後に、後処理装置６０，７０，８０の少なくとも一つによって実行される後処理の設定を取得し、取得された設定を選択肢として表示部に表示する。印刷システムは、選択肢の選択を受け付けると、選択された選択肢に対応する設定に従って後処理装置を指示するチケットの種類を特定し、特定されたチケットの種類ごとに設定を記載したチケットを生成するとともに、生成したチケットを付加した印刷データを生成する。【選択図】図１
2016177700.tif 000002
【特許請求の範囲】
【請求項１】
印刷システムであって、
印刷装置による印刷処理後に、少なくとも一つの後処理装置によって実行される後処理の設定を取得する取得部と、
取得された前記設定を選択肢として表示部に表示する表示制御部と、
前記選択肢の選択を受け付ける受付部と、
選択された前記選択肢に対応する前記設定に従い、前記後処理装置を指示するチケットの種類を特定する特定部と、
特定された前記チケットの種類ごとに前記設定を記載したチケットを生成し、生成したチケットを付加した印刷データを生成する生成部と
を有することを特徴とする印刷システム。
【請求項２】
前記表示制御部は、前記設定を印刷物として出力するか否かを選択するための選択肢を表示することを特徴とする請求項１に記載の印刷システム。
【請求項３】
選択された前記選択肢に対応する設定が、処理可能な能力を超えている場合に、処理可能な後処理装置の後処理に置換する置換部をさらに有し、
前記特定部は、置換後の後処理装置を指示するチケットの種類を特定することを特徴とする請求項１又は２に記載の印刷システム。
【請求項４】
印刷装置による印刷処理後に、少なくとも一つの後処理装置によって実行される後処理の設定を取得するステップと、
取得された前記設定を選択肢として表示部に表示するステップと、
前記選択肢の選択を受け付けるステップと、
選択された前記選択肢に対応する前記設定に従い、前記後処理装置を指示するチケットの種類を特定するステップと、
特定された前記チケットの種類ごとに前記設定を記載したチケットを生成し、生成したチケットを付加した印刷データを生成するステップと
をコンピュータに実行させるための印刷プログラム。
【請求項５】
印刷装置による印刷処理後に、少なくとも一つの後処理装置によって実行される後処理の設定を取得するステップと、
取得された前記設定を選択肢として表示部に表示するステップと、
前記選択肢の選択を受け付けるステップと、
選択された前記選択肢に対応する前記設定に従い、前記後処理装置を指示するチケットの種類を特定するステップと、
特定された前記チケットの種類ごとに前記設定を記載したチケットを生成し、生成したチケットを付加した印刷データを生成するステップと
を含むことを特徴とする印刷方法。
【請求項６】
印刷装置による印刷処理後に、少なくとも一つの後処理装置によって実行される後処理の設定を取得する取得部と、
取得された前記設定を選択肢として表示部に表示する表示制御部と、
前記選択肢の選択を受け付ける受付部と、
選択された前記選択肢に対応する前記設定に従い、前記後処理装置を指示するチケットの種類を特定する特定部と、
特定された前記チケットの種類ごとに前記設定を記載したチケットを生成し、生成したチケットを付加した印刷データを生成する生成部と
を有することを特徴とする情報処理装置。
【発明の詳細な説明】
【技術分野】
【０００１】
本発明は、印刷システム、印刷プログラム、印刷方法及び情報処理装置に関する。
【背景技術】
【０００２】
従来、ＰＯＤ（Print  On  Demand）市場における印刷会社には、ＰＣ（Personal  Computer）上で印刷データを作成するプリンタドライバ等のサブミッタと、印刷装置と、該印刷装置に接続される後処理装置とを含んだ構成の印刷環境が存在する。印刷装置に接続される後処理装置は、インライン後処理装置と、ニアライン後処理装置とに分けることができる。また、印刷会社は、インラインやニアラインとは別に、オフラインで様々な後処理装置を保有していることもある。
【０００３】
インラインとは、印刷装置から後処理装置への用紙の移動に対して作業者が介入することなく自動で行なわれ、後処理の設定も、印刷装置によって認識及び制御できるチケットで指定可能な接続関係を指す。ニアラインとは、印刷装置から後処理装置への用紙の移動に対して作業者が介入して実施するが、後処理の設定は、印刷装置を経由、又は、印刷装置と同一のネットワーク経由で後処理固有のチケットを後処理装置に自動で送り、指定可能な接続関係を指す。オフラインとは、印刷装置から後処理装置への用紙の移動に対して作業者が介入して実施し、後処理の設定も、作業者が介入して後処理装置で直接指定する接続関係を指すものであって、印刷装置と後処理装置とが非接続である。
【発明の概要】
【発明が解決しようとする課題】
【０００４】
従来技術に係るプリンタドライバでは、全ての後処理装置に対する設定を行なうことが困難である。具体的には、従来技術に係るプリンタドライバは、インラインの後処理装置に対する設定は可能であるものの、オフラインの後処理装置に対する設定は行なうことができない。また、オフラインやニアラインに関わる後処理の設定が存在する場合でも、使用される印刷装置が設置される印刷環境がそれぞれ異なり、各印刷環境でオフラインやニアラインの情報を把握することが困難である。加えて、ニアライン後処理装置やオフライン後処理装置は、プリンタドライバに接続されていないため、指示を送ることができない。
【０００５】
このため、ユーザは、印刷会社が保有する後処理装置に対する設定を行ないたい場合は、個別にテキスト等で指示する必要があり、作業が煩雑になっていた。また、テキスト等で指示を受け付けた印刷会社では、テキストを確認して設定を指定する作業が発生するため効率が悪い。
【０００６】
本発明は、上記に鑑みてなされたものであって、後処理装置に対して設定を行なう際の作業工数を削減することを目的とする。
【課題を解決するための手段】
【０００７】
上述した課題を解決し、目的を達成するため、本発明に係る印刷システムは、印刷装置による印刷処理後に、少なくとも一つの後処理装置によって実行される後処理の設定を取得する取得部と、取得された前記設定を選択肢として表示部に表示する表示制御部と、前記選択肢の選択を受け付ける受付部と、選択された前記選択肢に対応する前記設定に従い、前記後処理装置を指示するチケットの種類を特定する特定部と、特定された前記チケットの種類ごとに前記設定を記載したチケットを生成し、生成したチケットを付加した印刷データを生成する生成部とを有する。
【発明の効果】
【０００８】
本発明の一つの様態によれば、後処理装置に対して設定を行なう際の作業工数を削減することができるという効果を奏する。
【図面の簡単な説明】
【０００９】
【図１】図１は、実施の形態１に係る印刷システムのシステム構成例を示す図である。
【図２】図２は、実施の形態１に係る作業端末のハードウェア構成例を示すブロック図である。
【図３】図３は、実施の形態１に係る顧客端末及び作業端末の機能構成例を示すブロック図である。
【図４】図４は、実施の形態１に係る顧客端末の記憶部によって記憶される情報例を示す図である。
【図５】図５は、実施の形態１に係る作業端末の記憶部によって記憶される情報例を示す図である。
【図６】図６は、実施の形態１に係るＪＤＦチケットとテキストチケットとの例を示す図である。
【図７】図７は、実施の形態１に係るＵＩ部によって表示される情報例を示す図である。
【図８】図８は、実施の形態１に係る顧客端末のプリンタドライバによる印刷データ生成処理の流れの例を示すフローチャートである。
【図９】図９は、実施の形態１に係る作業端末のプリンタドライバによる印刷データ生成処理の流れの例を示すフローチャートである。
【図１０】図１０は、実施の形態１に係るチケット置き換え処理の流れの例を示すフローチャートである。
【図１１】図１１は、実施の形態１に係るチケット置き換え処理の実施前後のチケット部の例を示す図である。
【図１２】図１２は、実施の形態１に係るチケット生成処理の流れの例を示すフローチャートである。
【図１３】図１３は、実施の形態１に係るチケット生成処理の実施前後の印刷データファイルの例を説明する図である。
【図１４】図１４は、実施の形態１に係るチケット印刷データ部の印刷結果の例を示す図である。
【発明を実施するための形態】
【００１０】
以下に添付図面を参照して、本発明に係る印刷システム、印刷プログラム、印刷方法及び情報処理装置の実施の形態を説明する。なお、以下の実施の形態により本発明が限定されるものではない。
【００１１】
（実施の形態１）
［実施の形態１に係るシステム構成］
図１を用いて、実施の形態１に係る印刷システムのシステム構成を説明する。図１は、実施の形態１に係る印刷システムのシステム構成例を示す図である。
【００１２】
図１に示すように、印刷システム１には、顧客端末１００と、作業端末２００と、印刷装置５０と、インライン後処理装置６０と、ニアライン後処理装置７０と、オフライン後処理装置８０とが含まれる。各装置は、図示した台数に限られるものではなく、複数台存在しても良い。顧客端末１００は、印刷データの印刷を依頼する顧客によって使用される装置である。また、作業端末２００、印刷装置５０、インライン後処理装置６０、ニアライン後処理装置７０及びオフライン後処理装置８０は、印刷会社側で利用される装置である。顧客端末１００と作業端末２００とは、インターネット等のネットワークにより接続される。作業端末２００と印刷装置５０とニアライン後処理装置７０とは、ＬＡＮ（Local  Area  Network）等のネットワークにより接続される。
【００１３】
上述した構成において、顧客端末１００は、印刷を依頼する顧客によって使用されるＰＣ等の情報機器であり、該顧客端末１００上で動作するプリンタドライバを有する。また、顧客端末１００は、印刷装置５０や各後処理装置で実施する設定に対応した指示を表すチケットを含む印刷データファイルを生成する。顧客端末１００によって生成された印刷データファイルは、インターネット等のネットワークを介して、作業端末２００に対して送信される。なお、印刷データファイルは、作業端末２００に渡されれば良く、例えばメール、ＣＤやメモリ等の記録装置を経由して受け渡しされても良い。
【００１４】
作業端末２００は、印刷会社側で使用されるＰＣ等の情報機器であり、該作業端末２００上で動作するプリンタドライバを有する。作業端末２００上で動作するプリンタドライバは、顧客端末１００によって生成された印刷データファイルを読み込み、設定内容の表示や変更を行ない、印刷装置５０に対して印刷指示を行なう。
【００１５】
印刷装置５０は、面付けや、印刷データを用紙に印刷するプリンタ等である。インライン後処理装置６０は、印刷装置５０と用紙の通過経路が直接接続されている後処理装置であり、印刷設定を印刷装置５０から受け付けることができる。ニアライン後処理装置７０は、印刷会社内の社内ネットワークに接続されており、印刷装置５０と用紙の通過経路は分かれているが、印刷設定については作業端末２００から直接受け付けることができる。または、ニアライン後処理装置７０は、印刷設定を印刷装置５０経由で受け付けることができる。オフライン後処理装置８０は、独立して設置された後処理装置であり、用紙の移動は作業者が行ない、また、印刷設定についても作業者がオフライン後処理装置８０を操作することで実施される。
【００１６】
［実施の形態１に係る作業端末のハードウェア構成］
次に、図２を用いて、実施の形態１に係る作業端末２００のハードウェア構成を説明する。図２は、実施の形態１に係る作業端末２００のハードウェア構成例を示すブロック図である。
【００１７】
図２に示すように、作業端末２００は、ＣＰＵ（Central  Processing  Unit）２２と、ＲＡＭ（Random  Access  Memory）２３と、ＲＯＭ（Read  Only  Memory）２４と、通信Ｉ／Ｆ２５とを有する。上記各部は、バス２１により接続される。
【００１８】
ＣＰＵ２２は、作業端末２００全体の動作を制御する。ＣＰＵ２２は、ＲＯＭ２４等に記憶されたプログラムを、ＲＡＭ２３等を作業領域として実行することで、作業端末２００全体の動作を制御する。ＲＯＭ２４は、作業端末２００による処理を実現するためのプログラムを記憶する。ＲＡＭ２３は、ＲＯＭ２４等に格納されたプログラムの実行時の作業領域である。通信Ｉ／Ｆ２５は、顧客端末１００や印刷装置５０、ニアライン後処理装置７０等とのインターネットやＬＡＮでの通信を制御するインタフェースである。なお、顧客端末１００は作業端末２００と同様のＰＣ等であるため、顧客端末１００のハードウェア構成は、作業端末２００のハードウェア構成と同様となる。
【００１９】
［実施の形態１に係る各装置の機能構成］
次に、図３を用いて、実施の形態１に係る顧客端末１００及び作業端末２００の機能構成を説明する。図３は、実施の形態１に係る顧客端末１００及び作業端末２００の機能構成例を示すブロック図である。
【００２０】
図３に示すように、顧客端末１００は、記憶部１１０と、プリンタドライバ１２０とを有する。プリンタドライバ１２０は、ＵＩ（User  Interface）部１２１と、設定情報作成部１２２と、データ変換部１２３とを有する。なお、プリンタドライバ１２０に含まれる各機能は、ソフトウェア（プログラム）で実現されても良いし、ハードウェア回路で実現されても良い。
【００２１】
記憶部１１０は、ニアライン後処理装置７０やオフライン後処理装置８０に対して割り振られたＩＤ、表示／非表示、名称、選択肢、チケット、及び、デフォルトの選択肢を記憶する。図４は、実施の形態１に係る顧客端末１００の記憶部１１０によって記憶される情報例を示す図である。例えば、図４に示すように、記憶部１１０は、ＩＤ「ＩＤ−００１」と、表示／非表示「表示」と、名称「折り機」と、選択肢「内側２つ折，外側２つ折，内側３つ折，外側３つ折，Ｚ折，逆Ｚ折」と、チケット「内側２つ折用チケット，外側２つ折用チケット，内側３つ折用チケット，外側３つ折用チケット，Ｚ折用チケット，逆Ｚ折用チケット」と、デフォルト（「内側２つ折」と「内側２つ折用チケット」とがデフォルトの選択肢）との情報を対応付けて記憶する。
【００２２】
ＵＩ部１２１は、記憶部１１０に記憶された情報を取得し、ＩＤ毎にニアライン後処理、オフライン後処理の表示／非表示を判定し、名称や選択肢を表示させるための制御を行なう。なお、ＵＩ部１２１は、印刷装置５０に直接接続されたインライン後処理装置６０を含めた設定を保持している。このとき、ＵＩ部１２１は、記憶部１１０においてデフォルトに該当する選択肢をデフォルト値として表示させる。顧客は、ＵＩ上で表示されたデフォルトから設定を変更する場合に、選択肢から何れかを選択し、設定を確定するための操作を行なう。
【００２３】
設定情報作成部１２２は、顧客による操作に応じてＵＩ上で設定された値に該当するチケットをデータ変換部１２３に出力する。データ変換部１２３は、印刷対象となるアプリケーションデータを、印刷装置５０が印刷できるデータ形式（印刷データ）に変換して、設定情報作成部１２２によって出力されたチケットを印刷データに付加して、１つのファイルとしての印刷データファイル１３０を生成する。かかる印刷データファイル１３０は、作業端末２００に入力される。
【００２４】
また、図３に示すように、作業端末２００は、記憶部２１０と、プリンタドライバ２２０とを有する。プリンタドライバ２２０は、印刷データ読込部２２１と、設定情報判定部２２２と、ＵＩ部２２３と、設定情報作成部２２４と、データ変換部２２５とを有する。なお、プリンタドライバ２２０に含まれる各機能は、ソフトウェア（プログラム）で実現されても良いし、ハードウェア回路で実現されても良い。
【００２５】
記憶部２１０は、ニアライン後処理装置７０やオフライン後処理装置８０に対して割り振られたＩＤ、表示／非表示、名称、インライン／分岐シート数、選択肢、チケットタイプ、チケット、及び、デフォルトの選択肢を記憶する。インライン／分岐シート数は、インラインで処理可能な最大シート数（分岐シート数）である。インライン／分岐シートは、ニアライン後処理装置７０やオフライン後処理装置８０と同一の後処理機能を有するインライン後処理装置６０が存在する場合に、該インライン後処理装置６０に割り振られたＩＤと、該インライン後処理装置６０で処理可能な最大シート数を意味している。この情報が該当するニアライン後処理装置７０やオフライン後処理装置８０のＩＤと関連付けて記憶部２１０に登録される。チケットタイプは、後処理装置がニアラインであるかオフラインであるかを示す情報と、該後処理装置で実施する設定に対応した指示を表す情報とである。
【００２６】
図５は、実施の形態１に係る作業端末２００の記憶部２１０によって記憶される情報例を示す図である。例えば、図５に示すように、記憶部２１０は、ＩＤ「ＩＤ−００１」と、表示／非表示「表示」と、名称「折り機」と、インライン／分岐シート数「Ｉｎｌｉｎｅ００１／２００枚」と、選択肢「内側２つ折，外側２つ折，内側３つ折，外側３つ折，Ｚ折，逆Ｚ折」と、チケットタイプ「ニアライン／ＪＤＦ」と、チケット「内側２つ折用チケット，外側２つ折用チケット，内側３つ折用チケット，外側３つ折用チケット，Ｚ折用チケット，逆Ｚ折用チケット」と、デフォルト（「内側２つ折」と「内側２つ折用チケット」とがデフォルトの選択肢）との情報を対応付けて記憶する。
【００２７】
図６は、実施の形態１に係るＪＤＦチケットとテキストチケットとの例を示す図である。なお、図６では、設定がリング製本後処理の場合を例に挙げる。例えば、ニアライン後処理装置７０がＪＤＦを解釈できる場合は、チケットタイプはニアライン／ＪＤＦとして登録される。また、オフライン後処理装置８０がジョブチケット等の指定を解釈できず、作業者の介入による手作業による設定が必要な場合は、具体的な作業指示がテキストになるため、チケットタイプはオフライン／テキストとして登録される。すなわち、チケットは、チケットタイプ毎に該当する設定に対応した後処理装置を指示するためのジョブチケット、又は、作業指示書のことを意味する。チケットタイプがＪＤＦの場合は該当の後処理装置が解釈できるＪＤＦチケット、ＰＪＬの場合はＰＪＬチケット、テキストの場合は作業者が理解できるテキストでの作業指示書が設定ごとに記載され、登録される。
【００２８】
印刷データ読込部２２１は、顧客端末１００によって生成された印刷データファイル１３０を読み込み、印刷データファイル１３０からチケットを抽出し、抽出したチケットを設定情報判定部２２２に対して出力する。また、印刷データ読込部２２１は、印刷データファイル１３０の印刷データをデータ変換部２２５に対して出力する。
【００２９】
設定情報判定部２２２は、印刷データ読込部２２１によって出力されたチケットを記憶部２１０に記憶された情報と比較し、該当する設定を選択肢のデフォルトとして表示させるためにＵＩ部２２３に対して出力する。具体的には、設定情報判定部２２２は、印刷対象の印刷データが印刷で使用する印刷シート数を印刷データから判断し、該印刷シート数と、記憶部２１０に記憶されたインライン／分岐シート数の情報とを比較し、印刷シート数が分岐シート数を超えた場合に、インライン後処理にマップしたニアライン／オフライン後処理の選択肢に置き換え、デフォルトとして表示させるためにＵＩ部２２３に対して出力する。
【００３０】
ＵＩ部２２３は、記憶部２１０に記憶された情報を取得し、ＩＤ毎にニアライン後処理、オフライン後処理の表示／非表示を判定し、名称や選択肢を表示させるための制御を行なう。なお、ＵＩ部２２３は、印刷装置５０に直接接続されたインライン後処理装置６０を含めた設定を保持している。また、ＵＩ部２２３は、オフラインの設定を、作業者が印刷物として確認することを目的に、「オフライン設定をテキストとして印刷用紙に印刷する／しない」の選択設定を保持している。図７は、実施の形態１に係るＵＩ部２２３によって表示される情報例を示す図である。作業者は、図７に示すＵＩ上で表示されたデフォルトから設定を変更する場合に、選択肢から何れかを選択し、設定を確定するための操作を行なう。
【００３１】
設定情報作成部２２４は、作業者による操作に応じてＵＩ上で設定された値に対応する記憶部２１０に記憶された情報のチケットをデータ変換部２２５に対して出力する。また、記憶部２１０においてチケットがない面付け関係やインライン後処理の設定等については、ＵＩ部２２３によって保持された該当する設定のチケットがデータ変換部２２５に対して出力される。このとき、チケットに該当するチケットタイプを記憶部２１０に記憶された情報から判定し、チケットタイプの情報がニアライン／ＪＤＦの場合は、チケットタイプがニアライン／ＪＤＦであるチケットとして、インライン用のチケットと合わせて出力される。また、チケットタイプの情報がオフライン／テキストの場合は、チケットタイプがオフライン／テキストであるチケットとして、インライン用のチケットと合わせて出力される。
【００３２】
データ変換部２２５は、印刷データ読込部２２１によって出力された印刷データ（チケットは含まない）が、印刷装置５０が印刷可能なデータ形式に変換済みであるか否かを判定したうえで、変換が必要であればデータ変換を実行する。このとき、データ変換部２２５は、受け付けたチケットのチケットタイプにオフライン／テキストが存在する場合に、「オフライン設定をテキストとして印刷用紙に印刷する／しない」の設定を確認し、印刷する場合は、チケットタイプがオフライン／テキストとなっているチケットを、印刷装置５０が印刷可能な印刷データに変換し、チケットが付加された印刷データファイル２３０として、印刷装置５０に対して送信する。なお、プリンタドライバ１２０とプリンタドライバ２２０とは、１つのドライバであっても良い。すなわち、顧客端末１００と作業端末２００とは、統合された１台の端末として実現されても良い。これらにより、印刷装置５０は、インライン後処理装置６０までの処理を設定に従って実行し、印刷物を出力する。また、印刷装置５０は、「オフライン設定をテキストとして印刷用紙に印刷する」選択がされている場合、オフライン設定のテキストを印刷出力する。
【００３３】
［実施の形態１に係る印刷データ生成処理］
次に、図８を用いて、実施の形態１に係る顧客端末１００のプリンタドライバ１２０による印刷データ生成処理を説明する。図８は、実施の形態１に係る顧客端末１００のプリンタドライバ１２０による印刷データ生成処理の流れの例を示すフローチャートである。
【００３４】
図８に示すように、顧客端末１００は、顧客による操作に応じて、顧客端末１００上で動作するプリンタドライバ１２０をアプリケーションから起動する（ステップＳ１０１）。顧客端末１００は、ニアライン／オフライン用の記憶部１１０から情報を読み込み、ドライバ内部で保持する面付け設定やインラインの後処理の選択肢の設定と同様に、ニアライン／オフライン用の設定を表示する（ステップＳ１０２）。設定は、表示／非表示の情報をもとに出力される。
【００３５】
顧客端末１００は、ニアライン／オフラインの（１つのプリンタドライバのＵＩ上で）選択肢から指定する操作を受け付ける（ステップＳ１０３）。このとき、顧客端末１００は、ドライバ内部で保持する面付け設定やインラインの後処理設定については、ドライバ内部が保持するインライン毎にＩＤを割り振ってチケットを生成し、ニアライン／オフライン用の設定については、選択された設定に該当する記憶部１１０に記憶された情報のチケットを使用して作成する（ステップＳ１０４）。顧客端末１００は、アプリケーションデータを印刷装置５０が印刷可能なデータ形式に変換し、生成されたチケットを付加して、一つのファイルとして印刷データファイル１３０を生成する（ステップＳ１０５）。これにより、顧客は、１つのプリンタドライバ１２０のＵＩでニアライン／オフラインの設定を含む各種設定を指定し、印刷データ生成の指示を行なうことができる。
【００３６】
次に、図９を用いて、実施の形態１に係る作業端末２００のプリンタドライバ２２０による印刷データ生成処理を説明する。図９は、実施の形態１に係る作業端末２００のプリンタドライバ２２０による印刷データ生成処理の流れの例を示すフローチャートである。
【００３７】
図９に示すように、作業端末２００は、作業者による操作に応じて、作業端末２００上で動作するプリンタドライバ２２０を起動する（ステップＳ２０１）。作業端末２００は、ニアライン／オフライン用の情報を記憶部２１０から読み込み、ドライバ内部で保持する面付け設定やインラインの後処理の選択肢の設定と同様に、ニアライン／オフライン用の設定を表示する（ステップＳ２０２）。設定は、表示／非表示の情報をもとに出力される。
【００３８】
作業端末２００は、顧客端末１００によって生成された印刷データファイル１３０の指定をＵＩ上で受け付け、該印刷データファイル１３０を読み込む（ステップＳ２０３）。作業端末２００は、記憶部２１０に記憶された情報に従って、読み込んだチケットの置き換え処理を実行する（ステップＳ２０４）。作業端末２００は、ＵＩのデフォルト表示をチケットに従い変更する（ステップＳ２０５）。作業端末２００は、ＵＩ上で各選択肢の設定を受け付け、印刷データ生成の指示を受け付ける（ステップＳ２０６）。作業端末２００は、受け付けられた各選択肢の設定に従い、記憶部２１０に記憶された情報をもとにチケットを生成する（ステップＳ２０７）。なお、置き換え処理は、この時点で行なわれても良く、処理を実施するか否かをＵＩ上で行なうようにしても良いし、予め設定されていても良い。
【００３９】
作業端末２００は、読み込んだ印刷データが、印刷装置５０で印刷可能なデータ形式にデータ変換済みであるか否かを判定する（ステップＳ２０８）。このとき、作業端末２００は、データ変換済みでない場合に（ステップＳ２０８：Ｎｏ）、印刷データの変換を実行する（ステップＳ２０９）。一方、作業端末２００は、データ変換済みである場合に（ステップＳ２０８：Ｙｅｓ）、ステップＳ２１０の処理を実行する。作業端末２００は、設定をテキストとして印刷する設定がされているか否かを判定する（ステップＳ２１０）。
【００４０】
このとき、作業端末２００は、設定をテキストとして印刷する設定がされている場合に（ステップＳ２１０：Ｙｅｓ）、印刷装置５０がチケットを印刷可能なデータとして作成する（ステップＳ２１１）。一方、作業端末２００は、設定をテキストとして印刷する設定がされていない場合に（ステップＳ２１０：Ｎｏ）、ステップＳ２１２の処理を実行する。作業端末２００は、必要に応じてチケットが付加された印刷データ（印刷データファイル２３０）を生成する（ステップＳ２１２）。なお、設定をテキストとして印刷するか否かの選択については、ＵＩ上でユーザに指定させても良いし、ドライバが予め設定を保持しても良い。
【００４１】
作業者は、インライン、ニアライン、オフラインの印刷設定や印刷指示を、プリンタドライバ２２０のＵＩで確認できるため、顧客による印刷指示をより正確に把握することができる。さらに、オフライン／テキストチケットを印刷装置５０が印刷可能なデータとして作成し、印刷データを生成することにより、作業者は、実際に印刷装置５０及びインライン後処理装置６０に印刷データを送り、印刷を実行する場合に、用紙に印刷された作業指示書が自動的に生成できるため、作業工数を削減することができる。
【００４２】
［実施の形態１に係るチケット置き換え処理］
次に、図１０を用いて、実施の形態１に係るチケット置き換え処理を説明する。図１０は、実施の形態１に係るチケット置き換え処理の流れの例を示すフローチャートである。なお、チケット置き換え処理は、ステップＳ２０４における処理の詳細である。
【００４３】
図１０に示すように、作業端末２００は、読み込んだチケットに存在するインライン後処理装置６０のＩＤが、記憶部２１０に記憶された情報のインライン／分岐シートに存在するか否かを確認する（ステップＳ３０１）。このとき、作業端末２００は、存在しない場合に（ステップＳ３０１：Ｎｏ）、処理を終了する。一方、作業端末２００は、存在する場合に（ステップＳ３０１：Ｙｅｓ）、印刷データの情報に含まれた印刷に使用する用紙のシート枚数と、記憶部２１０に記憶された分岐シート枚数とを比較する（ステップＳ３０２）。
【００４４】
このとき、作業端末２００は、印刷シート枚数が分岐シート枚数よりも大きい場合に（ステップＳ３０２：Ｙｅｓ）、インラインのチケットを記憶部２１０の該当のニアライン／オフライン後処理のチケットと置き換える（ステップＳ３０３）。一方、作業端末２００は、印刷シート枚数が分岐シート枚数以下である場合に（ステップＳ３０２：Ｎｏ）、処理を終了する。
【００４５】
チケット置き換え処理によって、作業者の作業として従来発生していた、印刷シート枚数に従って後処理装置を変更するための手作業を削減することができる。
【００４６】
図１１は、実施の形態１に係るチケット置き換え処理の実施前後のチケット部の例を示す図である。図１１では、印刷データを印刷する際に使用するシート枚数が３００枚である場合を例に挙げる。「処理前」は、チケット置き換え処理の実施前の印刷データファイルに含まれる、チケットの例を示している。インラインの後処理装置（ＩＤ：Ｉｎｌｉｎｅ−００２）で後処理設定を行なった場合であり、チケットタイプはＪＤＦである。「処理後」は、チケット置き換え処理の実施後の印刷データファイルに含まれる、チケットの例を示している。ここでは、記憶部２１０ではＩｎｌｉｎｅ−００２に該当するオフライン後処理がＩＤ−００２であり、Ｉｎｌｉｎｅ−００２のインライン／分岐シート数が２００枚であるものとする。また、オフライン後処理Ｉｄ−００２のチケットタイプはテキストである。
【００４７】
［実施の形態１に係るチケット生成処理］
次に、図１２を用いて、実施の形態１に係るチケット生成処理を説明する。図１２は、実施の形態１に係るチケット生成処理の流れの例を示すフローチャートである。なお、チケット生成処理は、ステップＳ２０７における処理の詳細である。
【００４８】
図１２に示すように、作業端末２００は、記憶部２１０に記憶されたチケットタイプを確認し、インライン、ニアライン、又は、オフラインのチケットの種類を判定する（ステップＳ４０１）。作業端末２００は、チケットの種類がインラインである場合に（ステップＳ４０１：インライン）、印刷データ内のチケット部に存在する「インライン」エリアにＩＤ及びチケットを記載する（ステップＳ４０２）。また、作業端末２００は、チケットの種類がニアラインである場合に（ステップＳ４０１：ニアライン）、印刷データ内のチケット部に存在する「ニアライン」エリアにＩＤ及びチケットを記載する（ステップＳ４０３）。また、作業端末２００は、チケットの種類がオフラインである場合に（ステップＳ４０１：オフライン）、印刷データ内のチケット部に存在する「オフライン」エリアにＩＤ及びチケットを記載する（ステップＳ４０４）。
【００４９】
図１３は、実施の形態１に係るチケット生成処理の実施前後の印刷データファイルの例を説明する図である。なお、図１３では、チケットタイプの確認に用いられる記憶部２１０の情報例（作業端末ＤＢ）も示す。
【００５０】
作業端末２００は、チケット生成処理によって、作業端末ＤＢ内のチケットタイプを確認し、ニアラインであるかオフラインであるかを判断する。ここで、作業端末ＤＢ上に存在しないチケットや、Ｉｎｌｉｎｅ等の識別子が予め付与されているチケットについては、インラインチケットとして判断される。作業端末２００は、判断したチケットのタイプごとにチケットを整理し、印刷データ内のチケット部に存在する「インライン」、「ニアライン」、「オフライン」エリアにＩＤとともにチケットを保存する。図１３に示す例では、作業端末ＤＢ上のチケットタイプは、ＩＤ−００１が「ニアライン」、ＩＤ−００２が「オフライン」、ＩＤ−００４が「オフライン」である。
【００５１】
「処理前」は、チケット生成処理の実施前の印刷データファイルに含まれるチケットの例を示しており、「処理後」は、チケット生成処理の実施後の印刷データファイルに含まれるチケットの例を示している。「処理後」のうち、チケット印刷データ部は、設定をテキストとして印刷する指定がある場合に生成される。なお、チケット印刷データ部は、印刷データ部とは別に示しているが、印刷データ部の一部として生成されても良い。また、チケットの種類によって、印刷するチケットを選択するようにしても良い。
【００５２】
図１４は、実施の形態１に係るチケット印刷データ部の印刷結果の例を示す図である。図１４に示すように、チケット印刷データ部の印刷結果には、チケットタイプごとに、ＩＤ及びチケットが出力される。また、チケット印刷データ部の印刷は、チケットタイプごとに別個の印刷結果として出力するようにしても良い。
【００５３】
［実施の形態１による効果］
印刷システム１は、オフラインのＩＤと、オフラインの設定情報とを記憶部に保持し、また、オフラインの設定をオフラインのＩＤごとに追加して表示する機能により、設定画面上にオフラインの後処理設定をオンラインと一括して実施するので、後処理装置に対して設定を行なう際の作業工数を削減することができる。
【００５４】
（実施の形態２）
さて、これまで本発明に係る印刷システム１の実施の形態について説明したが、上述した実施の形態以外にも種々の異なる形態にて実施されて良いものである。そこで、（１）構成、（２）プログラム、について異なる実施の形態を説明する。
【００５５】
（１）構成
上記文書中や図面中等で示した処理手順、制御手順、具体的名称、各種のデータやパラメタ等を含む情報は、特記する場合を除いて任意に変更することができる。また、図示した装置の各構成要素は、機能概念的なものであり、必ずしも物理的に図示の如く構成されていることを要しない。すなわち、装置の分散又は統合の具体的形態は、図示のものに限られず、その全部又は一部を各種の負担や使用状況等に応じて、任意の単位で機能的又は物理的に、分散又は統合することができる。例えば、顧客端末１００と作業端末２００とは、１台の端末によって実現されても良い。かかる場合、印刷データファイルの受け渡しは不要となる。
【００５６】
（２）プログラム
また、顧客端末１００や作業端末２００で実行されるプログラムは、一つの様態として、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。また、顧客端末１００や作業端末２００で実行されるプログラムを、インターネット等のネットワークに接続されたコンピュータ上に格納し、ネットワーク経由でダウンロードさせることにより提供するようにしても良い。また、顧客端末１００や作業端末２００で実行されるプログラムをインターネット等のネットワーク経由で提供又は配布するように構成しても良い。また、顧客端末１００や作業端末２００で実行されるプログラムを、ＲＯＭ等に予め組み込んで提供するように構成しても良い。
【００５７】
顧客端末１００で実行されるプログラムは、上述した各部（ＵＩ部１２１、設定情報作成部１２２、データ変換部１２３）を含むモジュール構成となっており、実際のハードウェアとしてはＣＰＵが記憶媒体からプログラムを読み出して実行することにより、ＵＩ部１２１、設定情報作成部１２２、データ変換部１２３が主記憶装置上に生成されるようになっている。
【００５８】
また、作業端末２００で実行されるプログラムは、上述した各部（印刷データ読込部２２１、設定情報判定部２２２、ＵＩ部２２３、設定情報作成部２２４、データ変換部２２５）を含むモジュール構成となっており、実際のハードウェアとしてはＣＰＵが記憶媒体からプログラムを読み出して実行することにより、印刷データ読込部２２１、設定情報判定部２２２、ＵＩ部２２３、設定情報作成部２２４、データ変換部２２５が主記憶装置上に生成されるようになっている。
【符号の説明】
【００５９】
１  印刷システム
５０  印刷装置
６０  インライン後処理装置
７０  ニアライン後処理装置
８０  オフライン後処理装置
１００  顧客端末
１１０  記憶部
１２０  プリンタドライバ
１２１  ＵＩ部
１２２  設定情報作成部
１２３  データ変換部
２００  作業端末
２１０  記憶部
２２０  プリンタドライバ
２２１  印刷データ読込部
２２２  設定情報判定部
２２３  ＵＩ部
２２４  設定情報作成部
２２５  データ変換部
【先行技術文献】
【特許文献】
【００６０】
【特許文献１】特開２０１０−４９３４３号公報
【図１】
2016177700.tif 000003
【図２】
2016177700.tif 000004
【図３】
2016177700.tif 000005
【図４】
2016177700.tif 000006
【図５】
2016177700.tif 000007
【図６】
2016177700.tif 000008
【図７】
2016177700.tif 000009
【図８】
2016177700.tif 000010
【図９】
2016177700.tif 000011
【図１０】
2016177700.tif 000012
【図１１】
2016177700.tif 000013
【図１２】
2016177700.tif 000014
【図１３】
2016177700.tif 000015
【図１４】
2016177700.tif 000016